【手続補正書】
【提出日】平成19年11月6日(2007.11.6)
【手続補正１】
【補正対象書類名】特許請求の範囲
【補正対象項目名】全文
【補正方法】変更
【補正の内容】
【特許請求の範囲】
【請求項１】
正の屈折力を持つ対物レンズ系と、像正立光学系と、正の屈折力を持つ接眼レンズ系を持つ実像式光学ファインダーにおいて、前記対物レンズ系は、物体側より順に配置された、正の屈折力の第一レンズ群と、負の屈折力を持つ第二レンズ群と、負の屈折力を持つ第三レンズ群と、正の屈折力を持つ第四レンズ群とを含み、前記第二レンズ群と前記第三レンズ群を移動させることで変倍を行う下記の条件式を満足することを特徴とする実像式光学ファインダー。
９ｍｍ＜ｆ１＜１３．８ｍｍ
但し、ｆ１は前記第一レンズ群の焦点距離である。
【請求項２】
前記各レンズ群は１枚のレンズから構成され、下記の条件式を満足することを特徴とする請求項１に記載の実像式光学ファインダー。
１．４５＜ｆｅ／ｆ１＜２
但し、ｆｅは前記接眼レンズ系の焦点距離である。
【請求項３】
下記の条件式を満足することを特徴とする請求項１または２に記載の実像式光学ファインダー。
１．５＜ｆ１／ｆｗ＜２．５４
但し、ｆｗは広角端における前記対物レンズの焦点距離である。
【請求項４】
下記の条件式を満足することを特徴とする請求項１乃至３の何れかに記載の実像式光学ファインダー。
−６．４１＜（Ｒ８−Ｒ７）／（Ｒ８＋Ｒ７）＜−０．７１
但し、Ｒ７は前記第四レンズ群の物体側の面の曲率半径、Ｒ８は前記第四レンズ群の像側の面の曲率半径である。
【請求項５】
下記の条件式を満足することを特徴とする請求項１乃至４の何れかに記載の実像式光学ファインダー。
−４．８２＜（Ｒ４−Ｒ３）／（Ｒ４＋Ｒ３）＜−１．９７
但し、Ｒ３は前記第二レンズ群の物体側の面の曲率半径、Ｒ４は前記第二レンズ群の像側の面の曲率半径である。
【請求項６】
下記の条件式を満足することを特徴とする請求項１乃至５の何れかに記載の実像式光学ファインダー。
１．４７＜Ｒ１／ｆｗ＜１．９８
但し、Ｒ１は前記第一レンズ群の物体側の面の曲率半径、ｆｗは前記対物レンズ系の広角端における焦点距離である。  
【請求項７】
下記の条件式を満足することを特徴とする請求項１乃至６の何れかに記載の実像式光学ファインダー。
−１．７２＜ｆ３／ｆｗ＜−１．０９
但し、ｆ３は前記第三レンズ群の焦点距離、ｆｗは前記対物レンズ系の広角端における焦点距離である。
【請求項８】
下記の条件式を満足することを特徴とする請求項１乃至７の何れかに記載の実像式光学ファインダー。
１．２ｍｍ＜ｆ１／（ｆｔ／ｆｗ）＜３．２７ｍｍ
但し、ｆｔは対物レンズ系の望遠端における焦点距離、ｆｗは前記対物レンズ系の広角端における焦点距離である。
【請求項９】
下記の条件式を満足することを特徴とする請求項１乃至８の何れかに記載の実像式光学ファインダー。
−１．８４ｍｍ＜ｆ２／（ｆｔ／ｆｗ）＜−０．９９ｍｍ
但し、ｆ２は前記第二レンズ群の焦点距離、ｆｔは前記対物レンズ系の望遠端における焦点距離、ｆｗは前記対物レンズ系の広角端における焦点距離である。
【請求項１０】
前記第一レンズ群、前記第二レンズ群、前記第三レンズ群及び前記第四レンズ群は、何れも一枚のレンズからなることを特徴とする請求項１に記載の実像式光学ファインダー。
【請求項１１】
前記第四レンズ群と中間像との間に、物体側に正パワーを持ち且つ像を正立させるための反射面を有するプリズムが配置されていることを特徴とする請求項１乃至１０の何れかに記載の実像式光学ファインダー。
【請求項１２】
前記プリズムは、物体側の面が凸面であることを特徴とする請求項１１に記載の実像式光学ファインダー。
【請求項１３】
請求項１乃至１２の何れかに記載の実像式光学ファインダーと、前記ファインダーとは異なる光軸を有する撮像光学系とを備えたことを特徴とする撮像装置。
【手続補正２】
【補正対象書類名】明細書
【補正対象項目名】００１０
【補正方法】変更
【補正の内容】
【００１０】
また、本発明による実像式光学ファインダーは、下記の条件式を満足することが好ましい。  
１．４７＜Ｒ１／ｆｗ＜１．９８
但し、Ｒ１は前記第一レンズ群の物体側の面の曲率半径、ｆｗは前記対物レンズ系の広角端における焦点距離である。
【手続補正３】
【補正対象書類名】明細書
【補正対象項目名】００１２
【補正方法】変更
【補正の内容】
【００１２】
また、本発明による実像式光学ファインダーは、下記の条件式を満足することが好ましい。  
１．２ｍｍ＜ｆ１／（ｆｔ／ｆｗ）＜３．２７ｍｍ
但し、ｆ１は前記第一レンズ群の焦点距離、ｆｔは対物レンズ系の望遠端における焦点距離、ｆｗは対物レンズ系の広角端における焦点距離である。
【手続補正４】
【補正対象書類名】明細書
【補正対象項目名】００１３
【補正方法】変更
【補正の内容】
【００１３】
また、本発明による実像式光学ファインダーは、好ましくは、前記第二レンズ群は１枚のレンズから構成され、下記の条件式を満足するように構成されている。
−１．８４ｍｍ＜ｆ２／（ｆｔ／ｆｗ）＜−０．９９ｍｍ
但し、ｆ２は前記第二レンズ群の焦点距離、ｆｔは前記対物レンズ系の望遠端における焦点距離、ｆｗは前記対物レンズ系の広角端における焦点距離である。
【手続補正５】
【補正対象書類名】明細書
【補正対象項目名】００２４
【補正方法】変更
【補正の内容】
【００２４】
また、本発明によれば、正の屈折力を持つ対物レンズ系と、像正立光学系と、正の屈折力を持つ接眼レンズ系を持つ実像式光学式ファインダーにおいて、対物レンズ系は、物体側より順に配置された、正の屈折力を持つ第一レンズ群、負の屈折力を持つ第二レンズ群、負の屈折力を持つ第三レンズ群、正の屈折力を持つ第四レンズ群を含み、第二レンズ群と第三レンズ群を移動させることで変倍を行い、下記の条件式（８）を満足するように構成されている。
１．２ｍｍ＜ｆ１／（ｆｔ／ｆｗ）＜３．２７ｍｍ                  （８）
但し、ｆ１は、第一レンズ群の焦点距離、ｆｔは対物レンズ系の望遠端における焦点距離、ｆｗは対物レンズ系の広角端における焦点距離である。
上記条件式（８）の下限を下回ると、第一レンズ群のパワーが強くなりすぎ、取り付け時の位置ずれによる視度の利きが強くなってしまい、製造上取り扱いづらくなってしまう。また、上限を上回ると、小型化が困難となる。
【手続補正６】
【補正対象書類名】明細書
【補正対象項目名】００２５
【補正方法】変更
【補正の内容】
【００２５】
また、本発明によれば、正の屈折力を持つ対物レンズ系と、像正立光学系と、正の屈折力を持つ接眼レンズ系を持つ実像式光学式ファインダーにおいて、対物レンズ系は、物体側より順に配置された、正の屈折力を持つ第一レンズ群、負の屈折力を持つ第二レンズ群、負の屈折力を持つ第三レンズ群、正の屈折力を持つ第四レンズ群を含み、第二レンズ群は１枚のレンズから構成され、第二レンズ群と第三レンズ群を移動させることで変倍を行い、下記の条件式（９）を満足するように構成されている。
−１．８４ｍｍ＜ｆ２／（ｆｔ／ｆｗ）＜−０．９９ｍｍ                  （９）
但し、ｆ２は、第二レンズ群の焦点距離、ｆｔは対物レンズ系の望遠端における焦点距離、ｆｗは対物レンズ系の広角端における焦点距離である。
上記条件式（９）の下限を下回ると、第二レンズ群のパワーが弱くなり、変倍時の第二レンズ群と第三レンズ群の移動量が多くなり小型化が困難と成る。また、上限を上回ると、第二レンズ群のパワーが強くなり、小型化には有利だが良好な収差を維持することが困難となる。
【手続補正７】
【補正対象書類名】明細書
【補正対象項目名】００７５
【補正方法】変更
【補正の内容】
【００７５】
なお、図１２は、本実施例に係る実像式ファインダーの光学系の収差図であり、（ａ）は広角端、（ｂ）は中間、（ｃ）は望遠端での状態をそれぞれ示している。
【手続補正８】
【補正対象書類名】明細書
【補正対象項目名】００７６
【補正方法】変更
【補正の内容】
【００７６】
条件式数値
2006195367.tif 000001
【手続補正９】
【補正対象書類名】明細書
【補正対象項目名】００８０
【補正方法】変更
【補正の内容】
【００８０】
さらに、ファインダー用光路４４上には、例えば、実施例１の第１レンズ群Ｇ１、第２レンズ群Ｇ２、第３レンズ群Ｇ３、第４レンズ群Ｇ４及びプリズム１ａにより構成されるファインダー用対物光学系５３が配置されている。ファインダー用対物光学系５３は、撮影光学系４１のズームレンズに連動して焦点距離が変化し、上記第１レンズ群Ｇ１、第２レンズ群Ｇ２、第３レンズ群Ｇ３，第４レンズ群Ｇ４によって形成された逆転像は、像正立光学系であるプリズム１ａにより二回反射されて中間像を形成する。プリズム１ａの像側には、正立正像を得るためのプリズム２ａ及び得られた正立正像を観察者の眼球Ｅに導く正レンズ２ｂからなる接眼光学系５９が配置されている。なお、接眼光学系５９の射出側にカバー部材５０が配置されている。